(57)【要約】【課題】日本語入力システムの操作環境データを別のＰＣにも反映させることや、反映された操作環境データを復元することが可能なプログラム及び記憶媒体を提供する。【解決手段】  日本語入力システムの操作環境データと共に、コンピュータにセットアップするプログラムが記憶された移動自在な記憶媒体であって、操作環境データが適合するか否かを判定する判定手順と、適合すると判定されたときに、コンピュータに記憶されている操作環境データを一時待避させる待避手順と、記憶された操作環境データを、コンピュータに記憶させる環境設定手順とを有する第１のプログラム、及びコンピュータからこの記憶媒体が脱着されるのを監視する監視手順と、一時待避させた操作環境データを復元させる復元手順とを有する第２のプログラムを記憶したことを特徴とする。【選択図】図１
2005222212.tif 000002
【特許請求の範囲】
【請求項１】
日本語入力システムの操作環境データが書込自在に記憶されると共に、該操作環境データを、着脱自在に接続されたコンピュータにセットアップするプログラムが記憶された移動自在な記憶媒体であって、
この記憶媒体がコンピュータに接続されたときに該コンピュータにセットアップされ、前記操作環境データが該コンピュータの日本語入力システムに適合するか否かを判定する判定手順と、
前記判定手順において適合すると判定されたときに、前記コンピュータに記憶されている該コンピュータの日本語入力システムの操作環境データを一時待避させる待避手順と、
この書込自在な記憶媒体に記憶された前記操作環境データを、前記コンピュータにセットアップさせる環境設定手順とを有する第１のプログラム、及び
この記憶媒体がコンピュータに接続されたときに該コンピュータにセットアップされ、接続された該コンピュータからこの記憶媒体が脱着されるのを監視する監視手順と、
前記監視手順において、この記憶媒体を脱着したことが検出されたときに、前記待避手順において一時待避させた前記操作環境データにより復元させる復元手順とを有する第２のプログラムを記憶したことを特徴とする記憶媒体。
【請求項２】
前記操作環境データは、当該操作環境データの属性データとかな漢字変換により学習された学習辞書データとを含むことを特徴とする請求項１記載の記憶媒体。
【請求項３】
前記第１及び第２のプログラムは、この記憶媒体がコンピュータに接続されたときに該コンピュータのメインメモリに自動的にセットアップされることを特徴とする請求項１記載の記憶媒体。
【請求項４】
この記憶媒体は、コンピュータのユニバーサル・シリアル・バス（ＵＳＢ）を介して該コンピュータに接続されるＵＳＢメモリであることを特徴とする請求項１記載の記憶媒体。
【請求項５】
前記第２のプログラムは、
利用者より所定の入力指示信号を受けたときに、該コンピュータの日本語入力システムの当該操作環境データの前記属性データをこの記憶媒体に上書きする上書手順を有することを特徴とする請求項２記載の記憶媒体。
【請求項６】
前記第２のプログラムは、
利用者より所定の入力指示信号を受けたときに、該コンピュータの日本語入力システムの当該操作環境データの前記学習辞書データをこの記憶媒体に上書きする上書手順を有することを特徴とする請求項２記載の記憶媒体。
【請求項７】
第１のコンピュータに、第２のコンピュータの日本語入力システムにおける属性データ及びかな漢字変換により学習された学習辞書データからなる操作環境データを移動自在な記憶媒体を介してセットアップするプログラムであって、
前記第２のコンピュータの前記操作環境データが前記第１のコンピュータにおける日本語入力システムに適合するか否かを判定する判定手順と、
前記判定手順において適合すると判定されたときに、前記第１のコンピュータに記憶されている該第１のコンピュータの日本語入力システムの操作環境データを一時待避させる待避手順と、
前記第２のコンピュータの前記操作環境データを、前記第１のコンピュータに記憶させる環境設定手順と、
前記記憶媒体が前記第１のコンピュータから脱着されるのを監視する監視手順と、
前記監視手順において、前記記憶媒体の脱着が検出されたときに、前記待避手順において一時待避させた前記操作環境データを前記第１のコンピュータに復元させる復元手順とをさらに備えたことを特徴とするプログラム。
【請求項８】
前記第１のコンピュータにおける前記日本語入力システムにおいて、利用者より所定の入力指示信号を受けて、該第１のコンピュータに記憶されている前記操作環境データを前記記憶媒体に上書きする上書手順をさらに備えたことを特徴とする請求項７記載のプログラム。
【発明の詳細な説明】
【技術分野】
【０００１】
本発明は、コンピュータにおける日本語入力システムの操作環境データをセットアップするプログラムが記憶された、移動自在な記憶媒体及びそのプログラムに関する。
【背景技術】
【０００２】
従来コンピュータで、例えば文書作成などを行うときは、そのコンピュータに搭載されている日本語入力システム（ローマ字入力を含むかな漢字変換システム）の入力モードを選択し、作成される文書の読みの入力を行い、変換実行キーを押すことによりかな漢字変換処理を行っている。
【０００３】
その場合、読みに該当する漢字は多数存在することから、所望の漢字が表示されるまで、変換実行キーを繰り返し押して候補漢字を表示させる必要がある。このため、日本語入力システムは、設定された入力モードなどの属性情報、読みを漢字に変換する基本辞書、明朝体、ゴシックなどのフォントのほかに、変換実行キーが押されたときに優先度の高い、オペレータによる使用頻度が高いキーワードや文節などが最初に表示されるように設定される学習機能や、日々新しく生まれる語句とその読みを入力・登録する登録機能を持ち、それらの機能で設定・登録された個人辞書が備えられている。
【０００４】
しかしながら、属性情報や個人辞書は、そのコンピュータを使用するオペレータなどにより個別に設定されているため、作成される文書データを持ち運び、別のコンピュータで文書作成を継続しようとしたときに、属性情報や個人辞書が異なるため、操作性が低下し文書作成に不便であるという問題がある。
【０００５】
さらに、他人が利用している別のコンピュータを借用した場合、借用者が作成した日本語入力に関する個人辞書、学習情報等が残るので、元の利用者に迷惑を掛けるため、借用しにくく、貸しにくいという問題もある。
【０００６】
そこで、辞書データが記録可能なサーバをネットワークに接続し、そのサーバにネットワークに接続されたＰＣから辞書データを入力しておき、ネットワークに接続された他のＰＣからアクセスすることによりその辞書データを利用できるようにする技術が開示されている（特許文献１参照）。
【０００７】
しかしながら、ネットワークを活用する方法は、データ量が少ないものはよくても、データ量が多いものは応答性が悪化することや個人情報が漏洩しやすいという問題がある。
【０００８】
一方、今日では、ユニバーサル・シリアル・バス（ＵＳＢ）が一般化するとともに、数十Ｍバイトから数Gバイトの記憶容量を持ったＵＳＢメモリが普及しつつあり、膨大な情報量の文書等についてもパーソナルコンピュータ（以下、「ＰＣ」と略称する。）を携行することなく、コンパクトなＵＳＢメモリに文書データを格納して持ち運ぶ傾向にあり、持ち運んだＵＳＢメモリを他のＰＣに装着して文書作成などの作業を行うことが一般化しつつある。
【０００９】
そこで、ＰＣと着脱型外部記憶装置とによるコンピュータシステムにおいて、ＰＣがＯＳ、各種ＡＰ、データファイルなどが格納された外部記憶装置に切り換えアクセスするか、あるいは外部記憶装置からＰＣの記憶部にデータをコピーすることによりユーザ特有の環境を利用することができるようにした技術が開示されている（特許文献２参照）。
【特許文献１】特開２００２−９１９６０号公報
【特許文献２】特開２００３−１０８３８５号公報
【発明の開示】
【発明が解決しようとする課題】
【００１０】
しかしながら、特許文献２に開示された方法では、ＰＣのハードウエア及びソフトウエア双方の改良が必要であり、例えばＵＳＢに格納されたデータを持ち運び、作業を継続実施できるＰＣの対象範囲がきわめて制約されてしまうという問題がある。
【００１１】
本発明は上記事情に鑑み、ＰＣ側のハードウエア又はソフトウエアの改良を行うことなく、書込自在な外部記憶装置をＰＣに装着するだけの簡易な方法で、日本語入力システムに係るオペレータの操作環境を別のＰＣにも反映させることや、利用者より所定の入力指示信号を受けた後は、反映された操作環境を元の操作環境に復元することが可能なプログラム、及びそのプログラムや操作環境データが記憶された記憶媒体を提供することを目的とする。
【課題を解決するための手段】
【００１２】
上記の目的を達成する本発明の記憶媒体は、日本語入力システムの操作環境データが書込自在に記憶されると共に、該操作環境データを、着脱自在に接続されたコンピュータにセットアップするプログラムが記憶された移動自在な記憶媒体であって、
この記憶媒体がコンピュータに接続されたときに該コンピュータにセットアップされ、上記操作環境データが該コンピュータの日本語入力システムに適合するか否かを判定する判定手順と、
上記判定手順において適合すると判定されたときに、上記コンピュータに記憶されている該コンピュータの日本語入力システムの操作環境データを一時待避させる待避手順と、
この記憶媒体に書込自在に記憶された上記操作環境データを、上記コンピュータに記憶させる環境設定手順とを有する第１のプログラム、及び
この記憶媒体がコンピュータに接続されたときに該コンピュータにセットアップされ、接続された該コンピュータからこの記憶媒体が脱着されるのを監視する監視手順と、
上記監視手順において、この記憶媒体を脱着したことが検出されたときに、上記待避手順において一時待避させた上記操作環境データを復元させる復元手順とを有する第２のプログラムを記憶したことを特徴とする。
【００１３】
このように、移動自在な記憶媒体に、日本語入力システムの操作環境データを一時待避させて、別のコンピュータの日本語入力システムの操作環境に変更することや、変更した操作環境を元の操作環境に復元させることができるデータ及びプログラムが記憶されているので、マイＰＣを持ち歩くことなく、手近かなＰＣによりいつもと変わらない操作環境で文書作成などの作業を行うことができる。
【００１４】
上記の目的を達成する本発明のプログラムは、第１のコンピュータに、第２のコンピュータの日本語入力システムにおける属性データ及びかな漢字変換により学習された学習辞書データからなる操作環境データを移動自在な記憶媒体を介してセットアップするプログラムであって、
上記第２のコンピュータの上記操作環境データが上記第１のコンピュータにおける日本語入力システムに適合するか否かを判定する判定手順と、
上記判定手順において適合すると判定されたときに、上記第１のコンピュータに記憶されている該第１のコンピュータの日本語入力システムの操作環境データを一時待避させる待避手順と、
上記第２のコンピュータの上記操作環境データを、上記第１のコンピュータに記憶させる環境設定手順とを有することを特徴とするプログラム。
【００１５】
このように、移動自在な記憶媒体を介して、第１のコンピュータの操作環境データを一時待避させて、第２のコンピュータの操作環境データをセットアップすることができるので、マイＰＣを持ち歩くことなく、手近かなＰＣによりいつもと変わらない操作環境で文書作成などの作業を行うことができる。
【発明の効果】
【００１６】
本発明の記憶媒体及びプログラムによれば、手近かなＰＣによりいつもと変わらない操作環境で文書などの作業を行うことができる。手近かなＰＣを借用しやすく、いつもと変わらない操作環境で文書作成などの入力作業を行うことができる。
【発明を実施するための最良の形態】
【００１７】
以下に、本発明の記憶媒体及び本発明のプログラムの実施形態について説明する。
【００１８】
図１は、本発明の記憶媒体及びプログラムの実施形態として示すＵＳＢメモリ及びＵＳＢメモリに記憶され、ＰＣにセットアップされる操作環境データとその操作環境データをセットアップするプログラムの説明図である。
【００１９】
図１に示すように、本実施形態のＵＳＢメモリ１は、ＰＣ１００のインタフェース（ＵＳＢ）に装着される、移動自在で、書込み自在な記憶媒体である。
【００２０】
ＵＳＢメモリ１は、別のＰＣのかな漢字変換システムを用いて作成された文書データのほかに、ＰＣ１００のＵＳＢに装着されると実行される「自動起動設定ファイル」１０と、かな漢字変換システムの種類や対応するＯＳ（オペレーション・システム）等の情報がテーブル形式で記憶された「管理テーブルファイル」１５と、入力モード、個人辞書やシステム辞書などの属性データが記憶された「プロパティテーブルファイル」１６と、学習機能や登録機能により設定・登録された「個人辞書データファイル（本発明の学習辞書データに相当する。）」１７とを記憶している。
【００２１】
また、「自動起動設定ファイル」１０が起動されるとＰＣの主記憶部１１０にセットアップされ、「プロパティテーブルファイル」１６や「個人辞書データファイル」１７からなる操作環境データ２０をＰＣの補助記憶部１２０などにセットアップする「セットアッププログラムファイル」１１、及びＵＳＢメモリ１のＵＳＢからの脱着を監視し、かな漢字変換システムに係る利用者より所定の入力指示信号を受けて、それまでＰＣ１００に設定されていた操作環境データをＵＳBメモリ１にコピーすることや、ＰＣの操作環境データをＵＳＢメモリ１が装着される前の状態に復元する「ＵＳＢ着脱監視プログラムファイル」１２とが記憶されている。
【００２２】
一方、このＵＳＢメモリ１が装着されるＰＣは、主記憶部（メインメモリ）１１０と補助記憶部１２０と図示しないＣＰＵとを内蔵し、主記憶部１１０には、「自動起動設定ファイル」１０によりセットアップされた、「セットアッププログラムファイル」１１と「ＵＳＢ着脱監視プログラムファイル」１２とが展開され、さらに、ＯＳやかな漢字変換システムのバージョン、及びＵＳＢに対するハードウエアの装着・脱着に関する「ＯＳ情報」１１１と、キーボードレイアウトや現在の入力変換方式などに関する「かな漢字変換システムプロパティ情報」１１２とが記憶されている。また、補助記憶部１２０には、「個人辞書ファイル」１２１が記憶されている。
【００２３】
次に、ＵＳＢメモリ１に格納された「セットアッププログラムファイル」１１から主記憶上に展開された「セットアッププロセス」１１５により、そのＵＳＢメモリ１内に、ＰＣにより文書作成を行っていた操作環境データ２０を取り込み、その取り込んだ操作環境データ２０をＰＣ１００に反映させる、操作環境データ２０のセットアップ処理の流れについて説明する。
「文書データファイル」と、「プロパティテーブルファイル」１６と、「個人辞書データファイル」１７とが格納されたＵＳＢメモリ１を携行し、このＰＣ１００において、「文書データファイル」に格納された文書を継続して作成する作業を行うため、ＵＳＢメモリ１をこのＰＣ１００のＵＳＢに装着する。
【００２４】
ＵＳＢに装着されると同時に、ＵＳＢメモリ１に格納されている「自動起動設定ファイル」１０が動作し、「セットアッププログラムファイル」１１と「ＵＳＢ着脱監視プログラムファイル」１２とが装着されたＰＣの主記憶部１１０に読み込まれる。
【００２５】
ここで、ＰＣ１００が異常終了したり、操作忘れのまま電源をオフし、主記憶部１１０にセットアップされた「ＵＳＢ着脱監視プロセス」１１６が消去された場合に備え、ＰＣ１００が再起動されたとき、「ＵＳＢ着脱監視プロセス」１１６の復元処理が終わっていないかを調べ、終わっていなければ、かな漢字変換システムの操作環境が、ＵＳＢメモリ１によってセットアップされる直前の操作環境に復元されるように、「ＵＳＢ着脱監視プログラムファイル」１２を、ＰＣのハードディスクにバックアップし、ＰＣ１００の「自動起動設定ファイル」を「セットアッププログラムファイル」１１で設定しておくようにしてもよい。
【００２６】
ＰＣの主記憶部１１０に読み込まれた「セットアッププログラム」１１によりＵＳＢメモリ１に格納された操作環境データ２０をＰＣ１００にセットアップするセットアッププロセスが実行される。
【００２７】
セットアッププロセス１１５は、ＯＳ等のバージョンを照合する「判定処理」１１５ａ、ＰＣの操作環境データを一時待避させる「環境データ待避処理」１１５ｂ、ＵＳＢメモリの操作環境データをセットアップする「環境設定処理」１１５ｃとからなる。
【００２８】
「判定処理」１１５ａは、ＰＣの主記憶部１１０に、「ＯＳ情報」１１１として記憶されている、ＯＳやかな漢字変換システムのバージョンと、ＵＳＢメモリ１の「管理テーブルファイル」１５に格納されている、ＯＳやかな漢字変換システムのバージョンとを比較し、ＵＳＢメモリ１に格納されている操作環境データのＰＣ１００への適合性を判定する。そして、適合性が確認されると次の、「環境データ待避処理」１１５ｂに移行する。
【００２９】
「環境データ待避処理」１１５ｂは、ＰＣの主記憶部１１０に記憶された「かな漢字変換システムプロパティ情報」１１２ａを補助記憶部１２０の「プロパティ情報待避ファイル」１２２に、ＰＣの補助記憶部１２０に記憶された「個人辞書ファイル」１２１を同じく補助記憶部１２０の「個人辞書データ待避ファイル」１２３にそれぞれ一時待避させる。
【００３０】
「環境設定処理」１１５ｃは、ＵＳＢメモリ１における「プロパティデータファイル」１６をＰＣの主記憶部１１０の「かな漢字変換システムプロパティ情報」１１２ａ領域にコピーし、同時にＵＳＢメモリ１における「個人辞書データファイル」１７をＰＣの補助記憶部１２０の「個人辞書ファイル」１２１にコピーする。
【００３１】
これにより、このＰＣ１００のかな漢字変換システムは、ＵＳＢメモリ１に操作環境データ２０が格納された別のＰＣの操作環境と同一になるので、オペレータは、ＯＳなどが同一のＰＣであれば、どこにいっても、いつも使っているＰＣと同じ入力操作性下で文書データを作成することができる。
【００３２】
次に、ＰＣの主記憶部１１０に読み込まれた「ＵＳＢ着脱監視プログラムファイル」１２により、ＵＳＢ着脱監視プロセス１１６が実行される。
【００３３】
ＵＳＢ着脱監視プロセス１１６は、かな漢字変換システムの終了検出とＰＣの操作環境データのＵＳＢメモリ１への上書き処理を行う「ＵＳＢメモリ監視処理」１１６ａと、ＵＳＢメモリ１の脱着検出とＰＣの補助記憶部１２０に一時待避していた操作環境データの復元とを行う「復元処理」１１６ｂとからなる。
「ＵＳＢメモリ監視処理」１１６ａは、ＰＣ１００の、ＯＳ、或いはかな漢字変換システムにおいて、利用者より所定の入力指示信号を受けたときは、ＰＣの主記憶部１１０の「かな漢字変換システムプロパティ情報」１１２ａをＵＳＢメモリ１の「プロパティテーブルファイル」１６に、ＰＣの補助記憶部１２０の「個人辞書ファイル」１２１をＵＳＢメモリ１の「個人辞書データファイル」１７にそれぞれ格納する。
ここで、所定のコマンドが投入されたとき、あるいは所定アイコンがクリックされたときを検出することにより利用者よりの所定の入力指示信号を受けることにしてもよい。また、その場合、テンポラリデータとして記憶されている差分データを格納することにしてもよい。
【００３４】
「復元処理」１１６ｂは、ＰＣの文書データファイルのコピー処理、あるいはＰＣのタスクトレイにおける周辺機器の実行状態、例えば「ハードウエアの安全な取り外し」のクリックを検出し、ＰＣの補助記憶部１２０に一時待避させた「プロパティ情報待避ファイル」１２２を主記憶部１２０の「かな漢字変換システムプロパティ情報」１１２ａ領域に、ＰＣの補助記憶部１２０に一時待避させた「個人辞書データ待避ファイル」１２３を同じく補助記憶部１２０の「個人辞書ファイル」１２１に復元する。
【００３５】
ここで、ＵＳＢ着脱監視プロセス１１６が終了したときにＰＣの主記憶部１１０やハードディスクから「ＵＳＢ着脱監視プログラムファイル」１２が消去されるようにプロミングすることが望ましい。
【００３６】
これにより、ＰＣの所有者は、他人に一時ＰＣを使わせた場合でも、自身が使用するときは、自己が最終的に使用した操作環境に復元されているので、違和感を生じることがない。
【００３７】
図２は、ＰＣのかな漢字変換システムに使用されるファイルとＵＳＢメモリ内のファイルとの関係を示す図である。
【００３８】
図２に示すように、ＰＣのかな漢字システムには、入力変換方式、使用ファイル名、キーボードレイアウトなどの情報が格納された「かな漢字変換プロパティ情報」１１２ａ、システムにおけるかな漢字変換に標準的に用いられる「基本辞書ファイル」、学習機能や登録機能に基づいて個別に作成された「個人辞書ファイル」１２１、漢字リストからなる「フォントファイル」がある。
また、ＵＳＢメモリ１には、ＰＣのＵＳＢに装着されると実行される「自動起動設定ファイル」１０、自動起動設定ファイルによりＰＣの主記憶部にセットアップされる、操作環境データのセットアップを行う「セットアッププログラムファイル」１１及びＰＣの操作環境データをＵＳBメモリにコピーを行うことやＰＣ内部で復元を行う「ＵＳＢ着脱監視プログラムファイル」１２、かな漢字変換システムの種類や対応するＯＳ等の情報が記憶された「管理テーブルファイル」１５、入力モード、個人辞書やシステム辞書などの属性データが記憶された「プロパティテーブルファイル」、学習機能や登録機能により設定・登録された「個人辞書データファイル（本発明の学習辞書データに相当する。）」がある。
そして、ＰＣの「かな漢字変換プロパティ情報」１１２ａとＵＳＢメモリ１の「プロパティテーブルファイル」１６、及びＰＣの「個人辞書ファイル」１２１とＵＳＢメモリの「個人辞書データファイル」１７とが対応し、相互間でコピーがなされる。
図３は、ＵＳＢメモリの「管理テーブルファイル」における管理テーブルの形式を一例として示す図である。
図３に示すように、管理テーブルには、かな漢字変換システムの種類と、そのバージョンと、対応するＯＳが記録されている。
図４は、ＵＳＢメモリの「プロパティテーブルファイル」の形式を一例として示す図である。
図４に示すように、プロパティテーブルファイルには、キーボード設定情報、入力モードなどの一般属性データと、学習機能の設定情報、ユーザ辞書名、システム辞書名などの個人辞書データとが記録されている。
図５は、セットアッププロセスのフローチャートである。
図５に示すように、セットアッププロセスは、「判定処理」１１５ａと、「環境データ待避処理」１１５ｂと、「環境設定処理」１１５ｃとに区分される。
判定処理１１５ａが開始されると、ＰＣの主記憶部１１０のＯＳ情報１１１記憶領域からＰＣにおけるかな漢字変換システムの種類やバージョン、及びＯＳの種類やバージョンを読み出す（Ｓ１）。
次に、ＵＳＢメモリ１の管理テーブル１５からかな漢字変換システムの種類やバージョン、及びＯＳの種類などを読み出す（Ｓ２）。
そして、ＰＣの主記憶部１１０のＯＳ情報とＵＳＢメモリの管理テーブル１５の情報とを比較する（Ｓ３）。
【００３９】
比較の結果不一致の場合には「エラー」処理（Ｓ４）により、例えばＰＣにその旨が表示されて終了する。一方、一致した場合には、次の「環境データ待避処理」１１５ｂに移行する。
環境データ待避処理１１５ｂが開始されると、ＰＣの主記憶部１１０におけるかな漢字変換システムプロパティ情報１１２ａを読み出す（Ｓ１１）。
そして、読み出したかな漢字変換システムプロパティ情報１１２ａを一時待避させるため、ＰＣの補助記憶部１２０のプロパティ情報待避ファイル１２２に格納する（Ｓ１２）。
また、ＰＣの補助記憶部１２０に記憶されている個人辞書ファイル１２１を一時待避させるため、同じくＰＣの補助記憶部１２０の個人辞書データ待避ファイル１２３に格納し（Ｓ１３）、この処理を終了するとともに、次の「環境設定処理」１１５ｃに移行する。  
環境設定処理１１５ｃが開始されると、ＵＳＢメモリ１の個人辞書データファイル１７をＰＣの補助記憶部１２０における個人辞書ファイル１２１にコピーする（Ｓ２１）。
次に、ＵＳＢメモリ１のプロパティテーブルファイル１６を読み出す（Ｓ２２）。
そして、読み出したプロパティテーブルファイル１６をＰＣの主記憶部１１０のかな漢字変換プロパティ情報１１２ａ領域に書き込み、処理を終了する（Ｓ２３）。
ここで、各処理の開始や終了、環境データ待避処理及び環境設定処理における各ファイルの格納、コピー、書き込みに際して、ＰＣの表示画面に、例えば「はい」「いいえ」などの確認画面を表示させて、オペレータに可否判断させることにしてもよい。
図６は、ＵＳＢ着脱監視プロセスのフローチャートである。
図６に示すように、ＵＳＢ着脱監視プロセスが開始されると、かな漢字システム等の終了やＵＳＢメモリ１の脱着を検出するべく、ＯＳからの情報が監視される（Ｓ３１）。
そして、かな漢字システム等の終了が検出されるとＰＣの主記憶部１１０に記憶されているかな漢字変換システムプロパティ情報１１２ａをＵＳＢメモリ１のプロパティテーブルファイル１６に書き込む（Ｓ３２）。その場合、差分データを管理し、差分データが生じた都度書き込むことにしてもよいし、所定時間毎に書き込むことにしてもよい。
また、ＯＳからの情報によりＵＳＢメモリの脱着が検出されると（Ｓ３３）、ＰＣの補助記憶部１２０のプロパティ情報待避ファイル１２２に一時待避させていた、かな漢字変換プロパティ情報１１２ａを、主記憶部１１０のかな漢字変換プロパティ情報１１２ａ領域に復元ーする（Ｓ３４）。
さらに、ＰＣの補助記憶部１２０の個人辞書データ待避ファイル１２３に一時待避させていた、個人辞書ファイルを同じ補助記憶部１２０における本来の個人辞書ファイル１２１に復元する（Ｓ３５）。
そして、ＰＣの操作環境データ２０が、ＵＳＢメモリ１が装着される直前の状態に復元されると、一時待避させていたプロパティ情報待避ファイル１２２と個人辞書データ待避ファイル１２３とに記録されていたデータを消去し、ＵＳＢ着脱監視プロセス１１６が終了する。
ここで、かな漢字変換システムプロパティ情報１１２ａのＵＳＢメモリ１への書き込み、一時待避させていた、かな漢字変換プロパティ情報１１２ａや個人辞書ファイルの本来の個人辞書ファイル１２１への復元に際して、ＰＣ１００の表示画面に、例えば「はい」「いいえ」などの確認画面を表示させて、オペレータに可否判断させることにしてもよい。
【図面の簡単な説明】
【００４０】
【図１】本発明の記憶媒体及びプログラムの実施形態として示すＵＳＢメモリ及びＵＳＢメモリに記憶され、ＰＣにセットアップされる操作環境データとその操作環境データをセットアップするプログラムを説明する図である。
【図２】ＰＣのかな漢字変換システムに使用されるファイルとＵＳＢメモリ内のファイルとの関係を示す図である。
【図３】ＵＳＢメモリの「管理テーブルファイル」における管理テーブルの形式を一例として示す図である。
【図４】ＵＳＢメモリの「プロパティテーブルファイル」の形式を一例として示す図である。
【図５】セットアッププロセスのフローチャートである。
【図６】ＵＳＢ着脱監視プロセスのフローチャートである。
【符号の説明】
【００４１】
１  ＵＳＢメモリ
１０  自動起動設定ファイル
１１  セットアッププログラムファイル
１２  ＵＳＢ着脱監視プログラムファイル
１５  管理テーブルファイル
１６  プロパティテーブルファイル
１７  個人辞書データファイル
２０  操作環境データ
１００  ＰＣ
１１０  主記憶部
１１１  ＯＳ情報
１１２  かな漢字変換システム
１１２ａ  かな漢字システムプロパティ情報
１１５  セットアッププロセス
１１５ａ  判定処理
１１５ｂ  環境データ待避処理
１１５ｃ  環境設定処理
１１６  ＵＳＢ着脱監視プロセス
１１６ａ  ＵＳＢメモリ監視処理
１１６ｂ  復元処理
１２０  補助記憶部
１２１  個人情報ファイル
１２２  プロパティ情報待避ファイル
１２３  個人辞書データ待避ファイル  
【図１】
2005222212.tif 000003
【図２】
2005222212.tif 000004
【図３】
2005222212.tif 000005
【図４】
2005222212.tif 000006
【図５】
2005222212.tif 000007
【図６】
2005222212.tif 000008